(57)【要約】      （修正有）【課題】安価なコストで容易にエレベータの不停止階床を設定する。【解決手段】不停止階を乗客に明示するためのかご呼び釦カバー５をかご呼び釦枠２の左右の取り付け穴４を介して操作盤表面板１の表面から不停止階に対応するかご呼び釦３を覆うように取り付けることができる構造である。カバー５の裏面には引っ掛けツメが当該外枠の左右２箇所に取り付けられる。引っ掛けツメはカバー５の外枠の裏面からカバー５の平板方向と垂直方向に突出しており、突出部から折り返される弾性部材の折り返し部を有する。カバー５は、折り返し部に対する押圧により当該折り返し部を外側に変形させた状態で取り付け穴４に挿入可能である。また、カバー５は、挿入した状態において表面板１の裏面からの折り返し部に対する押圧により当該折り返し部を再び変形させた状態で取り付け穴４から取り外し可能である。【選択図】      図１
2008037515.tif 000002
【特許請求の範囲】
【請求項１】
複数のかご呼び釦と、
前記かご呼び釦の操作面の近傍に設けた取り付け穴と、
前記かご呼び釦のうち乗りかごの停止対象外とする階床に対応するかご呼び釦の近傍の前記取り付け穴に取り付けられて、当該かご呼び釦の操作面を覆うかご呼び釦カバーとを備えた構造としたことを特徴とするエレベータ操作盤。
【請求項２】
前記かご呼び釦が設けられる操作盤プレートをさらに備え、
前記かご呼び釦は前記操作盤プレートから突出しており、
前記かご呼び釦カバーは、前記かご呼び釦の突出長以上の深さの凹部を有し、当該かご呼び釦カバーを前記取り付け穴に取り付けた状態で、前記凹部が前記かご呼び釦の突出部分を覆う構造としたことを特徴とする請求項１に記載のエレベータ操作盤。
【請求項３】
前記かご呼び釦が設けられる操作盤プレートをさらに備え、
前記取り付け穴は、前記操作盤プレートの表面から裏面に貫通して設けられ、
前記かご呼び釦カバーは、弾性部材を有するアンカーを備え、
前記アンカーは、前記弾性部材に対する押圧により当該アンカーの折り返し部分を変形させた状態で前記取り付け穴に挿入可能で、この挿入後に前記押圧を解除することで前記操作盤プレートの裏面に掛止され、この挿入した状態で前記操作盤プレートの裏面からの前記弾性部材に対する押圧により前記折り返し部分を再び変形させた状態で前記取り付け穴から取り外し可能である
ことを特徴とする請求項１に記載のエレベータ操作盤。
【請求項４】
前記かご呼び釦カバーの表面には、前記取り付け先のかご呼び釦に対応する階床が停止対象外の階床である旨が表記されることを特徴とする請求項１に記載のエレベータ操作盤。
【請求項５】
前記かご呼び釦は、押圧により前記操作面が予め定められた距離にわたって移動することで操作が有効となり、
前記かご呼び釦カバーは、前記停止対象外のかご呼び釦の間に磁石を介在させた状態で前記取り付け穴に取り付け可能であり、この取り付けた状態において前記磁石の前記かご呼びカバーとの対向面の極性と反対の極性の磁力を与えることで前記かご呼び釦の操作面が当該かご呼び釦への操作が有効となるように移動可能な構造としたことを特徴とする
請求項１に記載のエレベータ操作盤。
【発明の詳細な説明】
【技術分野】
【０００１】
本発明は、例えばエレベータの乗りかご内に設けられるエレベータ操作盤に関する。
【背景技術】
【０００２】
従来、エレベータのサービス階床のうち予め定めた階床を乗りかごの不停止階とする場合がある。この不停止階の設定には、例えば、制御用プログラムを用いた処理にて、かご呼び釦の押下にしたがったかご呼び登録の可否を設定する技術や、各階床に不停止階設定切替スイッチを設置してサービス階床の可否設定を行なう技術がある。
【０００３】
前述した制御用プログラムを用いる技術では、暗証キー入力操作を行いエレベータ制御装置にて暗証キー入力信号を処理し不停止階を設定する。また、前述した切り替えスイッチを用いる技術では当該スイッチをかご内操作盤等に設置し、スイッチの切り替え信号をエレベータ制御装置が処理することで不停止階を設定する。
【０００４】
また、例えば特許文献１に開示されるように、かご呼び釦の表示を乗りかごの運転状況やユーザの要望にしたがって変更する技術がある。
【特許文献１】実開平５−２６９７７号公報
【発明の開示】
【発明が解決しようとする課題】
【０００５】
しかし前述したような技術では、不停止階の設定を行なうためにエレベータを停止させて作業を行なう必要があり、その設定のための時間を多く費やすことになる。
【０００６】
また、不停止階設定機能をエレベータに付加する場合、不停止設回路追加に伴い専用スイッチ類の追加、電気回路廻りの配線追加及び特殊ソフト設計等を要し、そのための費用が膨大なものとなる。
【０００７】
そこで、本発明の目的は、安価なコストで容易に不停止階床を設定することが可能になるエレベータ操作盤を提供することにある。
【課題を解決するための手段】
【０００８】
すなわち、本発明に係わるエレベータ操作盤は、複数のかご呼び釦と、これらのかご呼び釦の操作面の近傍に設けた取り付け穴と、複数のかご呼び釦のうち乗りかごの停止対象外とする階床に対応するかご呼び釦の近傍の取り付け穴に取り付けられて、当該かご呼び釦の操作面を覆うかご呼び釦カバーとを備えた構造としたことを特徴とする。
【発明の効果】
【０００９】
本発明に係わるエレベータ操作盤では、安価なコストで容易に不停止階床を設定することができる。
【発明を実施するための最良の形態】
【００１０】
以下図面により本発明の実施形態について説明する。  
（第１の実施形態）
まず、本発明の第１の実施形態について説明する。  
図１は、本発明の第１の実施形態にしたがったエレベータかご呼び操作盤の外観を示す図である。
【００１１】
このかご呼び操作盤は、複数のかご呼び釦のうち乗りかごの停止対象外とする階床に対応するかご呼び釦の近傍に取り付け穴を設け、この取り付け穴にかご呼び釦カバーを取り付けることで当該かご呼び釦の操作面を覆う構造としている。
【００１２】
図１に示すように、乗りかご内のかご呼び操作盤の操作盤表面板１には正方形状のかご呼び釦枠２が各階床に対応して切り欠いて設けられる。操作盤表面板は操作盤プレートとも呼ばれる。これらのかご呼び釦枠２からは正方形状のかご呼び釦３が操作可能に突出する。このかご呼び釦３は、行先階登録釦とも呼ばれ、押圧により操作面が予め定められた距離にわたって移動することで操作が有効となる。
【００１３】
この実施形態の特徴として、かご呼び釦枠２の左右には取り付け穴４が操作盤表面板１の表面から裏面に貫通して設けられる。
【００１４】
また、この実施形態では、不停止階を乗客に明示するためのかご呼び釦カバー５を取り付け穴４を介して操作盤表面板１の操作面、つまり表面から不停止階に対応するかご呼び釦３を覆うように取り付けることが可能である。  図２は、本発明の第１の実施形態にしたがったエレベータかご呼び操作盤に取り付けるかご呼び釦カバーの表面図である。  
図２に示すように、かご呼び釦カバー５の外枠は幅がＬ１である正方形であり、この外枠の内側には幅Ｌ２を有する無色の透明樹脂板９が取り付けられる。透明樹脂板９の表面には「（不停止階）」との文字が表示される。
【００１５】
また、かご呼び釦カバー５の外枠の裏面にはかご呼び釦カバー５を取り付け穴４に取り付けるためのアンカー、つまり碇形凸形状の引っ掛けツメ６が当該外枠の左右２箇所に取り付けられる。この引っ掛けツメ６はかご呼び釦カバー５の外枠の裏面の接合面７を起点としてかご呼び釦カバー５の表面の平板方向と垂直方向に突出しており、この突出部分からかご呼び釦カバー５の内側に折り返される折り返し部８を有する。この折り返し部８は弾性部材である。折り返し部８の先端は押圧されていない状態でかご呼び釦カバー５の外枠の内側の透明樹脂板９と重なるように突出している。
【００１６】
この実施形態では、かご呼び釦カバー５は、折り返し部８に対する押圧により当該折り返し部８をかご呼び釦カバー５の外側に向かって変形させた状態で取り付け穴４に挿入可能である。引っ掛けツメ６は、この挿入後に折り返し部８に対する押圧を解除することで前記操作プレートの裏面に掛止される。また、かご呼び釦カバー５は、この挿入した状態で操作盤表面板１の裏面からの折り返し部８に対する押圧により当該折り返し部８を当該かご呼び釦カバー５の外側に向かって再び変形させた状態で取り付け穴４から取り外し可能な構造である。
【００１７】
図３は、本発明の第１の実施形態にしたがったエレベータかご呼び操作盤に取り付けるかご呼び釦カバーの第１の断面図である。図４は、本発明の第１の実施形態にしたがったエレベータかご呼び操作盤に取り付けるかご呼び釦カバーの第２の断面図である。
【００１８】
図３に示した断面図は図２に示したかご呼び釦カバー５を図２中のＡ−Ａ線に沿って切断した場合の断面図である。また、図４に示した断面図は図２に示したかご呼び釦カバー５を図２中のＢ−Ｂ線に沿って切断した場合の断面図である。
【００１９】
かご呼び釦カバー５の外枠は引っ掛けツメ６との接合面７からかご呼び釦カバー５の表面に近い位置を底面とした凹部を有しており、この凹部の底面は透明樹脂板９の裏面である。かご呼び釦カバー５の引っ掛けツメ６を取り付け穴４に取り付けた状態では、かご呼び釦カバー５の凹部がかご呼び釦３の突出部分を覆う。  
かご呼び釦カバー５の凹部の上端部である接合面７から引っ掛けツメ６の折り返し部８の先端までの高さＬ３は操作盤表面板１の厚さと同じである。
【００２０】
図５は、本発明の第１の実施形態にしたがったエレベータかご呼び操作盤およびこれに取り付けるかご呼び釦カバーの第１の断面図である。図６は、本発明の第１の実施形態にしたがったエレベータかご呼び操作盤およびこれに取り付けるかご呼び釦カバーの第２の断面図である。
【００２１】
図５に示した断面図の切断面は図２に示した断面図の切断面と同じであり、かご呼び釦カバー５の表面の平板方向と操作盤表面板１の平板方向とを同じにした際の操作盤表面板１の断面をさらに図示している。また、図６に示した断面図の切断面は図３に示した断面図の切断面と同じであり、かご呼び釦カバー５の表面の平板方向と操作盤表面板１の平板方向とを同じにした際の操作盤表面板１の断面をさらに図示している。
【００２２】
図５に示すように、引っ掛けツメ６の幅Ｌ４は取り付け穴４の幅Ｌ５より広く、かご呼び釦カバー５の幅Ｌ２はかご呼び釦３の幅Ｌ６より広い。  
また、図６に示すように、引っ掛けツメ６の高さＬ７は取り付け穴４の高さＬ８と同じであり、かご呼び釦カバー５の凹部の高さＬ９は、かご呼び釦３の高さＬ１０より高い。
【００２３】
図７は、本発明の第１の実施形態にしたがったエレベータかご呼び操作盤およびこれに取り付けたかご呼び釦カバーの表面図である。図７では３階のかご呼び釦３にかご呼び釦カバー５を取り付けた状態を図示している。
【００２４】
図８は、本発明の第１の実施形態にしたがったエレベータかご呼び操作盤およびこれに取り付けたかご呼び釦カバーの第１の断面図である。図９は、本発明の第１の実施形態にしたがったエレベータかご呼び操作盤およびこれに取り付けたかご呼び釦カバーの第２の断面図である。
【００２５】
図８に示した断面図の切断面は図５に示した断面図の切断面と同じであり、かご呼び釦カバー５を操作盤表面板１に取り付けた状態の断面を図示している。また、図９に示した断面図の切断面は図６に示した断面図の切断面と同じであり、かご呼び釦カバー５を操作盤表面板１に取り付けた状態の断面を図示している。
【００２６】
図８および図９に示すように、接合面７から引っ掛けツメ６の先端までの高さは操作盤表面板１の厚さＬ１１と同じである。かご呼び釦カバー５を操作盤表面板１に取り付けた状態で引っ掛けツメ６の折り返し部８への押圧が解除されると、折り返し部８の先端がかご呼び釦カバー５の内側に移動して操作盤表面板１の裏面に掛止されるため、操作盤表面板１の表面からはかご呼び釦カバー５を取り外すことができない。
【００２７】
この状態ではかご呼び釦カバー５は取り付け先のかご呼び釦３を覆っており、かご呼び釦カバー５の上下左右部分に隙間がないため、押し間違いやいたずらによるかご呼び釦３の操作を防止することができる。また、かご呼び釦カバー５の取り付け位置は取り付け穴４の位置にて決定するため、かご呼び釦カバー５の取り付け後の位置決め調整作業は不要である。
【００２８】
この状態でかご呼び釦カバー５を取り外すには、点検作業員が操作盤表面板１自体を開けた上で、操作盤表面板１の裏面に位置する引っ掛けツメ６の折り返し部８を外側に押圧しながらかご呼び釦カバー５を操作盤表面板１の裏面から表面に向かって押し出せばよい。  
以上説明したように、本発明の第１の実施形態にしたがったエレベータかご呼び操作盤では、制御処理を行なうこと無しに不停止階のかご呼びを防止することができるので、安価なコストで容易にエレベータの不停止階床を設定することができる。
【００２９】
（第２の実施形態）
次に、本発明の第２の実施形態について説明する。なお、本実施形態に係るエレベータかご呼び操作盤の構成は図１に示したものと基本的にほぼ同様であるので同一部分の説明は省略する。この実施形態では、かご呼び釦カバー５を取り付け穴４に取り付けた状態でも、作業員が携帯するカードキーを用いることにより、かご呼び釦カバー５に覆われるかご呼び釦３を操作できる。
【００３０】
図１０は、本発明の第２の実施形態にしたがったエレベータかご呼び操作盤の外観を示す図である。  
図１０に示すように、本発明の第２の実施形態にしたがったエレベータかご呼び操作盤では、かご呼び釦カバー５とかご呼び釦３に取り付けた状態でかご呼び釦カバー５とかご呼び釦３の間に磁石板１１が挟まれている。この状態では磁石板１１の表面はかご呼び釦カバー５の裏面と対向し、磁石板１１の裏面はかご呼び釦３の操作面と対向する。
【００３１】
図１１は、本発明の第２の実施形態にしたがったエレベータかご呼び操作盤に取り付ける磁石板の表面図である。  
この磁石板１１の外縁の寸法はかご呼び釦３の外縁の寸法と同じであり、かご呼び釦カバー５とかご呼び釦３に取り付けた状態でもかご呼び釦３上の表記が視認できるように内側が空洞部１４となっている。また、磁石板１１の空洞部１４に接する部分の一部は磁石板１１の表面１３から裏面へ向かう突起部１２となっている。
【００３２】
図１２は、本発明の第２の実施形態にしたがったエレベータかご呼び操作盤に取り付ける磁石板の第１の断面図である。図１３は、本発明の第２の実施形態にしたがったエレベータかご呼び操作盤に取り付ける磁石板の第２の断面図である。
【００３３】
図１２に示した断面図は図１１に示した磁石板１１を図１１中のＣ−Ｃ線に沿って切断した場合の断面図である。また、図１３に示した断面図は図３に示した磁石板１１を図１１中のＤ−Ｄ線に沿って切断した場合の断面図である。
【００３４】
図１４は、本発明の第２の実施形態にしたがったエレベータかご呼び操作盤およびこれに取り付けるかご呼び釦カバーおよび磁石板の第１の断面図である。図１５は、本発明の第２の実施形態にしたがったエレベータかご呼び操作盤およびこれに取り付けるかご呼び釦カバーおよび磁石板の第２の断面図である。
【００３５】
図１４に示した断面図の切断面は図１２に示した断面図の切断面と同じであり、かご呼び釦カバー５の表面の平板方向と操作盤表面板１の平板方向とを同じにした際のかご呼び釦カバー５と操作盤表面板１の断面をさらに図示している。
【００３６】
また、図１５に示した断面図の切断面は図１３に示した断面図の切断面と同じであり、かご呼び釦カバー５の表面の平板方向と操作盤表面板１の平板方向とを同じにした際のかご呼び釦カバー５と操作盤表面板１の断面をさらに図示している。
【００３７】
図１４に示すように磁石板１１の幅Ｌ２１はかご呼び釦カバー５の凹部の幅Ｌ２と同じであり、磁石板突起部１２の幅Ｌ２２はかご呼び釦３の幅Ｌ６より狭い。  
また、図１５に示すように磁石板１１の高さＬ２３はかご呼び釦カバー５の凹部の高さＬ９と同じであり、磁石板突起部１２の高さＬ２４はかご呼び釦３の高さＬ１０より低い。
【００３８】
図１６は、本発明の第２の実施形態にしたがったエレベータかご呼び操作盤およびこれに取り付けたかご呼び釦カバーおよび磁石板の表面図である。  
この状態では、磁石板１１は、透明樹脂板９を介して視認可能である。
【００３９】
図１７は、本発明の第２の実施形態にしたがったエレベータかご呼び操作盤およびこれに取り付けたかご呼び釦カバーおよび磁石板の第１の断面図である。図１８は、本発明の第２の実施形態にしたがったエレベータかご呼び操作盤およびこれに取り付けたかご呼び釦カバーおよび磁石板の第２の断面図である。
【００４０】
図１７に示した断面図の切断面は図１４に示した断面図の切断面と同じであり、かご呼び釦カバー５を磁石板１１とともに操作盤表面板１に取り付けた状態の断面を図示している。また、図１８に示した断面図の切断面は図１５に示した断面図の切断面と同じであり、かご呼び釦カバー５を磁石板１１とともに操作盤表面板１に取り付けた状態の断面を図示している。
【００４１】
図１９は、本発明の第２の実施形態にしたがったエレベータかご呼び操作盤に取り付けた磁石板に近接させるカードキーの外観図である。このカードキー１５は、板状の磁石である。
【００４２】
図２０は、本発明の第２の実施形態にしたがったエレベータかご呼び操作盤およびこれに取り付けたかご呼び釦カバー、磁石板およびこの磁石板に近接させるカードキーの第１の断面図である。図２１は、本発明の第２の実施形態にしたがったエレベータかご呼び操作盤およびこれに取り付けたかご呼び釦カバー、磁石板およびこの磁石板に近接させるカードキーの第２の断面図である。
【００４３】
図２０に示した断面図の切断面は図１７に示した断面図の切断面と同じであり、かご呼び釦カバー５を磁石板１１とともに操作盤表面板１に取り付けてカードキー１５をかご呼び釦カバー５に近接させた状態の断面を図示している。また、図２１に示した断面図の切断面は図１８に示した断面図の切断面と同じであり、かご呼び釦カバー５を磁石板１１とともに操作盤表面板１に取り付けてカードキー１５をかご呼び釦カバー５に近接させた状態の断面を図示している。
【００４４】
この近接させた状態においてカードキー１５のかご呼び釦カバー５に対向する面の極性と、かご呼び釦カバー５内の磁石板１１のカードキー１５と対向する面の極性とは異なるとする。すると、カードキー１５と磁石板１１の間に反発力が生じ、磁石板１１の突起部１２がかご呼び釦３の操作面を押圧することになる。よって、かご呼び釦カバー５を取り付けた状態でもかご呼び釦３の操作が可能となる。
【００４５】
このような形態とすることで、通常時は不停止階に設定している階床について、点検作業者などの特定の利用者のみが前述した不停止階に設定している階床の呼び登録を行うことができるようになる。これによりかご呼び釦カバー５の取り外し作業を行なわずとも、不停止階床の呼び登録を行なえるようになる。
【００４６】
以上説明した実施形態では、かご呼び釦カバー５に無色の透明樹脂板を取り付ける場合を説明したが、例えば、透明樹脂板の代わりに色付き樹脂部材や金属部材を使用してかご呼び釦３の操作面を完全に覆って、当該かご呼び釦３の対応する階床を完全に遮蔽する構成としても良い。
【００４７】
また、一部の階床を不停止階とする形態に限らず、建物の全階床のかご呼び釦３に対してかご呼び釦カバー５を取り付けて、特定利用者のみが行先階登録を行なえるようにしてもよい。このような形態とすれば、制御装置の機能変更などを行なう必要無しに建物全体の入場にかかるセキュリティシステムを構成することができる。
【００４８】
なお、この発明は前記実施形態そのままに限定されるものではなく実施段階ではその要旨を逸脱しない範囲で構成要素を変形して具体化できる。また、前記実施形態に開示されている複数の構成要素の適宜な組み合せにより種々の発明を形成できる。例えば、実施形態に示される全構成要素から幾つかの構成要素を省略してもよい。更に、異なる実施形態に亘る構成要素を適宜組み合せてもよい。
【図面の簡単な説明】
【００４９】
【図１】本発明の第１の実施形態にしたがったエレベータかご呼び操作盤の外観を示す図。
【図２】本発明の第１の実施形態にしたがったエレベータかご呼び操作盤に取り付けるかご呼び釦カバーの表面図。
【図３】本発明の第１の実施形態にしたがったエレベータかご呼び操作盤に取り付けるかご呼び釦カバーの第１の断面図。
【図４】本発明の第１の実施形態にしたがったエレベータかご呼び操作盤に取り付けるかご呼び釦カバーの第２の断面図。
【図５】本発明の第１の実施形態にしたがったエレベータかご呼び操作盤およびこれに取り付けるかご呼び釦カバーの第１の断面図。
【図６】本発明の第１の実施形態にしたがったエレベータかご呼び操作盤およびこれに取り付けるかご呼び釦カバーの第２の断面図。
【図７】本発明の第１の実施形態にしたがったエレベータかご呼び操作盤およびこれに取り付けたかご呼び釦カバーの表面図。
【図８】本発明の第１の実施形態にしたがったエレベータかご呼び操作盤およびこれに取り付けたかご呼び釦カバーの第１の断面図。
【図９】本発明の第１の実施形態にしたがったエレベータかご呼び操作盤およびこれに取り付けたかご呼び釦カバーの第２の断面図。
【図１０】本発明の第２の実施形態にしたがったエレベータかご呼び操作盤の外観を示す図。
【図１１】本発明の第２の実施形態にしたがったエレベータかご呼び操作盤に取り付ける磁石板の表面図。
【図１２】本発明の第２の実施形態にしたがったエレベータかご呼び操作盤に取り付ける磁石板の第１の断面図。
【図１３】本発明の第２の実施形態にしたがったエレベータかご呼び操作盤に取り付ける磁石板の第２の断面図。
【図１４】本発明の第２の実施形態にしたがったエレベータかご呼び操作盤およびこれに取り付けるかご呼び釦カバーおよび磁石板の第１の断面図。
【図１５】本発明の第２の実施形態にしたがったエレベータかご呼び操作盤およびこれに取り付けるかご呼び釦カバーおよび磁石板の第２の断面図。
【図１６】本発明の第２の実施形態にしたがったエレベータかご呼び操作盤およびこれに取り付けたかご呼び釦カバーおよび磁石板の表面図。
【図１７】本発明の第２の実施形態にしたがったエレベータかご呼び操作盤およびこれに取り付けたかご呼び釦カバーおよび磁石板の第１の断面図。
【図１８】本発明の第２の実施形態にしたがったエレベータかご呼び操作盤およびこれに取り付けたかご呼び釦カバーおよび磁石板の第２の断面図。
【図１９】本発明の第２の実施形態にしたがったエレベータかご呼び操作盤に取り付けた磁石板に近接させるカードキーの外観図。
【図２０】本発明の第２の実施形態にしたがったエレベータかご呼び操作盤およびこれに取り付けたかご呼び釦カバー、磁石板およびこの磁石板に近接させるカードキーの第１の断面図。
【図２１】本発明の第２の実施形態にしたがったエレベータかご呼び操作盤およびこれに取り付けたかご呼び釦カバー、磁石板およびこの磁石板に近接させるカードキーの第２の断面図。
【符号の説明】
【００５０】
１…操作盤表面板、２…かご呼び釦枠、３…かご呼び釦、４…取り付け穴、５…かご呼び釦カバー、６…引っ掛けツメ、７…接合面、８…折り返し部、１１…磁石板、１２…磁石板突起部、１３…磁石板表面、１４…磁石板空洞部、１５…カードキー。
【図１】
2008037515.tif 000003
【図２】
2008037515.tif 000004
【図３】
2008037515.tif 000005
【図４】
2008037515.tif 000006
【図５】
2008037515.tif 000007
【図６】
2008037515.tif 000008
【図７】
2008037515.tif 000009
【図８】
2008037515.tif 000010
【図９】
2008037515.tif 000011
【図１０】
2008037515.tif 000012
【図１１】
2008037515.tif 000013
【図１２】
2008037515.tif 000014
【図１３】
2008037515.tif 000015
【図１４】
2008037515.tif 000016
【図１５】
2008037515.tif 000017
【図１６】
2008037515.tif 000018
【図１７】
2008037515.tif 000019
【図１８】
2008037515.tif 000020
【図１９】
2008037515.tif 000021
【図２０】
2008037515.tif 000022
【図２１】
2008037515.tif 000023